(57)【特許請求の範囲】
【請求項１】
トルク工具本体と、前記トルク工具本体に取付けられ、該トルク工具本体の動作状態を灯光表示する光源を内部に収容すると共に、該光源からの灯光を外部に射出するための確認穴を設けたケースと、を有するトルク工具であって、
前記確認穴からの灯光を前記ケースの外側において該確認穴の周囲に向けて拡散する、前記確認穴から射出される前記灯光の射出方向に突出した導光部であって、光を透過する材料で形成されていることにより、突出している部分の全体が前記光源からの灯光で光る導光部を備えた導光部材を前記ケースの外側に設け、
前記導光部材は、前記ケースの保護カバーも兼用していることを特徴とするトルク工具。
【請求項２】
前記導光部は前記確認穴に対応する位置に形成されていることを特徴とする請求項１に記載のトルク工具。
【請求項３】
トルク工具本体と、前記トルク工具本体に取付けられ、該トルク工具本体の動作状態を灯光表示する光源を内部に収容すると共に、該光源からの灯光を外部に射出するための確認穴を設けたケースと、を有するトルク工具であって、
前記確認穴からの灯光を前記ケースの外側において該確認穴の周囲に向けて拡散する、前記確認穴から射出される前記灯光の射出方向に突出した導光部であって、光を透過する材料で形成されていることにより、突出している部分の全体が前記光源からの灯光で光る導光部を備えた導光部材を前記ケースの外側に設け、
前記導光部材は、前記ケース及び前記トルク工具本体に対して締付けて固定される導光バンドであることを特徴とするトルク工具。
【請求項４】
前記導光部は前記ケースの内側に突出する突起部を有し、該突起部を前記確認穴に挿入することにより、前記光源からの灯光の導光および前記導光部の前記確認穴に対する位置決めを行うことを特徴とする請求項１から３のいずれか１つに記載のトルク工具。
【請求項５】
トルク工具本体と、前記トルク工具本体に取付けられ、該トルク工具本体の動作状態を灯光表示する光源を内部に収容すると共に、該光源からの灯光を外部に射出するための確認穴を設けたケースと、を有するトルク工具の前記ケースの外側に装着され、
前記確認穴からの灯光を前記ケースの外側において該確認穴の周囲に向けて拡散する、前記確認穴から射出される前記灯光の射出方向に突出した導光部であって、光を透過する材料で形成されていることにより、突出している部分の全体が前記光源からの灯光で光る導光部を備えたことを特徴とする保護カバー。
【発明の詳細な説明】
【技術分野】
【０００１】
本発明は、発光ダイオードなどの光源の灯光表示により、作業者に動作状態に関する情報の報知を行うトルク工具に係り、特に、作業者に対する光源からの灯光の視認性を改善するトルク工具の構造に関する。
【背景技術】
【０００２】
従来、トルクレンチ等のトルク工具において、ボルトやナット等の締結体（以下、ボルトとする。）を締め付けるトルクが所定のトルクに達すると、例えばトグル機構が作動することにより、作業者に軽い衝撃を与えて、締め付けトルクが所定のトルク値に達したことを感覚的に知らせることができるようにしたものが提案されている。
【０００３】
そして、このようなトルク工具には、トグル機構の作動を検知して検知信号を出力するスイッチング装置を備えたものがある。このようなスイッチング装置を備えたトルク工具によれば、出力した検知信号を記録して、検知信号の数と締め付けるボルトの数とを比較することにより、ボルトの締め忘れがないか確認することが可能である。特許文献１には、このようなスイッチング装置を備えたトルク工具が記載されている。
【０００４】
図６は、従来のスイッチング装置を備えたトルクレンチ１０１の平面図（図６（ａ））および側面図（図６（ｂ））である。
【０００５】
トルクレンチ１０１は、扁平なチューブ形状に形成されたレバー１０３に対してヘッド１０２が不図示のトグル機構を介して取り付けられて構成され、ヘッド１０２に装着されたソケット１０２ａをボルトにはめ合わせた後、グリップ１０４を回動してボルトを締め付ける。そして、締め付けるトルクが所定のトルクに達すると、不図示のトグル機構が作動して、レバー１０３がヘッド１０２に対して軽い衝撃を伴って回動する。
【０００６】
トグル機構の作動により、レバー１０３の外側に取付けられたケース１０５内に配置されたスイッチング装置はＯＮ状態となり、スイッチング装置からトグル機構の作動状態を示す検知信号が出力される。
【０００７】
作業者が、トグル機構の作動を認識して、締め付けを解除してトグル機構を元の状態に復帰操作すると、スイッチング装置はＯＦＦ状態となる。そして、上記トグル機構の作動状態を示す検知信号を、アンテナケース１０７内に配置されるアンテナ等の無線通信手段を介して不図示の受信機に対して送信すれば、受信機側において、検知信号を一回のボルトの締付完了信号として記録することができる。
【０００８】
そして、トルクレンチ１０１は、スイッチング装置がＯＮとなった場合に、ケース１０５内に設置された光源であるＬＥＤ１０６を発光させて、トグル機構の作動がスイッチング装置により検知されたことを作業者が視覚によって確認できるようにしている。
【特許文献１】特開２００４−２７３１２７号公報
【発明の開示】
【発明が解決しようとする課題】
【０００９】
以上のように、このようなトルクレンチ１０１によれば、ＬＥＤ１０６が発光することによって、スイッチング装置により締付完了が検知されたことを視覚的に確認することができる。
【００１０】
このスイッチング装置は、上述のようにケース１０５内に配置されているが、ケース１０５はスイッチング装置などの回路を外部の衝撃から保護するために、耐久性に優れる金属製のものが用いられる。
【００１１】
そして、スイッチング装置の動作を知らせるＬＥＤ１０６は、同様に破損を防ぐため、ケース１０５内部に配置されており、このＬＥＤ１０６の光は、ケース１０５に形成された確認穴１０５ａを介して視認できるようになっている。このような構造にすることにより、作業中にケース１０５を何かにぶつけた場合やトルクレンチ１０１が地面に落下したような場合でも、ケース１０５によってＬＥＤ１０６などが破損することを防ぐことができる。
【００１２】
しかし、このように、ＬＥＤ１０６をケース内部に配置することにより、ＬＥＤ１０６の発光を視認できる範囲が非常に狭いという問題がある。
【００１３】
図７には、従来のトルクレンチ１０１に取り付けられた、ケース１０５部分の縦断面図を示す。図７に示すように、ケース１０５内部の基板１１０上に配置されたＬＥＤ１０６は、トグル機構の作動により不図示のスイッチング装置から検知信号が出力されると点灯する。そして、ＬＥＤ１０６から発せられた光は、ＬＥＤ１０６の照射方向前方に形成された確認穴１０５ａを通って、矢印Ｌ方向に射出される。したがって、ＬＥＤ１０６の点灯を確認するためには、作業者は矢印Ｌ方向の延長上から視認しなければならない。
【００１４】
しかし、締め付けるボルトの位置などによってはトルクレンチ１０１の向きは変わるため、常にＬＥＤ１０６の点灯を確認できる位置でトルクレンチ１０１を使用できるわけではない。例えば、トルクレンチ１０１を用いた締め付け作業が、作業者の視線がトルクレンチ１０１の側面に位置するような状態で行われる場合には、トルクレンチ１０１は作業者から図６（ｂ）のように見えることになる。そうすると、確認穴１０５ａを上述の矢印Ｌ方向から見ることはできず、作業者はＬＥＤ１０６の点灯を確認することはできない。特に光源にＬＥＤを用いた場合には、ＬＥＤの光は直進性が高いため、上記延長上の位置から少しでも外れた場合にはＬＥＤ１０６の点灯を確認することが難しい。
【００１５】
これに対して、ＬＥＤなどの光源を、ケース外部に露出させることも可能であるが、そうすると、他の物体と衝突した場合やトルクレンチ１０１が落下した場合に破損する可能性が高くなる。
【００１６】
また、ＬＥＤなどの光源を複数配置して、複数方向から視認することができるようにすることも可能であるが、光源が複数必要となったり、ケース１０５にＬＥＤの確認穴を複数設けたりしなければならない。そして、複数方向から光源の点灯を確認できるように光源を複数設けたとしても、視認できるのは光源の照射方向からのみであるため、視認性の向上が低い。
【００１７】
このように、ＬＥＤなどの光源の光により作業者に報知を行うような従来のトルクレンチでは、衝撃からＬＥＤを保護するために、ケース内にＬＥＤなどの光源を配置する必要があるが、ケース内部にＬＥＤが配置されることにより、作業者からその点灯を確認できる範囲が限られてしまうという問題があった。
【００１８】
そこで、本願発明は、このような従来のトルクレンチ等のトルク工具における光源の灯光表示の視認性に関する問題を解決するためになされたものであり、トルク工具のケース内部に配置された光源からの灯光を、広範囲から確認することができるようなトルク工具を提供することを目的とする。
【課題を解決するための手段】
【００１９】
本願発明のトルク工具は、トルク工具本体と、前記トルク工具本体に取付けられ、該トルク工具本体の動作状態を灯光表示する光源を内部に収容すると共に、該光源からの灯光を前記ケース外に射出するための確認穴を設けたケースと、を有するトルク工具であって、前記確認穴からの灯光を前記ケースの外側において該確認穴の周囲に向けて拡散する導光部を備えた導光部材を前記ケースの外側に設けたことを特徴とする。
【００２０】
本願発明の保護カバーは、トルク工具本体と、前記トルク工具本体に取付けられ、該トルク工具本体の動作状態を灯光表示する光源を内部に収容すると共に、該光源からの灯光を前記ケース外に射出するための確認穴を設けたケースと、を有するトルク工具の前記ケースの外側に装着され、前記確認穴からの灯光を前記ケースの外側において該確認穴の周囲に向けて拡散する導光部を備えたことを特徴とする。
【発明の効果】
【００２１】
本願発明のトルク工具によれば、確認穴から射出された光源の灯光を導光部によって周囲に拡散させることができる。これによって、作業者は導光部を介して光源の点灯を広範囲から確認することができる。また、本願発明によれば、トルク工具の構造を変更したり、光源の数を増やしたりしなくても、簡単に光源の点灯の視認性を向上することができる。
【００２２】
また、光の透過する弾性材料により形成された保護カバーに導光部を形成すれば、光源の灯光の視認性を向上することが可能になると同時に、トルク工具のケースを周囲にぶつけてもその対象物を傷つけることを防ぐ効果も得られる。
【発明を実施するための最良の形態】
【００２３】
以下、図面に示す実施例に基づいて、本願発明に係るトルク工具を説明する。
【００２４】
（実施例１）
図１は本実施例のトルク工具であるトルクレンチ１の平面図、図２は本実施例のトルクレンチ１の側面図である。また、図３は、トルクレンチ１のケース５に、導光部８ａを備えた導光部材としての保護カバー８を取り付けた場合の、ケース５部分の断面図であり、図４（ａ）から（ｃ）は、保護カバー８の平面図および側面図である。
【００２５】
本実施例のトルクレンチ１は、ボルトやナット等の締結体（以下、ボルトとする。）を締め付けていくと、不図示のトグル機構の作動により、作業者に軽い衝撃を与えて所定のトルクに達したことを知らせることができるものである。さらに、本実施例のトルクレンチ１は、スイッチング装置によりトグル機構の作動を検知し、その検知信号を無線通信手段を介して受信機に送信することができる。したがって、受信機側において、その検知信号を記録していくことにより、記録された検知信号からトルクレンチ１を用いて締め付けたボルトの数を確認することができる。
【００２６】
具体的なトルクレンチ１の構成を説明する。本実施例のトルクレンチ１の基本的な構造は従来のトグル機構を有するトルクレンチと同様であり、扁平なチューブ形状に形成されたレバー３に対してヘッド２が不図示のトグル機構を介して取り付けられている。レバー３の後端側には、グリップ４が設けられている。グリップ４で覆われるレバー３の内部には、前記トグル機構が作動する設定トルク値を変更可能とするための調節つまみ部が設けられている。以上がトルクレンチ本体の構成である。
【００２７】
トルクレンチ１のレバー３の外面には、上記トグル機構の作動を検知する不図示のスイッチング装置や後述するＬＥＤ６などの電子回路が収められたケース５が固定されている。
【００２８】
本実施例において、ケース５を直方体状に形成した例えば上方に開口したケース本体５１と、ケース本体５１の該開口を取外し可能に塞ぐ平板状の蓋体５２とにより構成している。また、ケース本体５１の後方には、アンテナを内部に配置したアンテナケース７を設けている。
【００２９】
ケース本体５１内には、回路基板１０が取付けられており、回路基板１０の上面にはＬＥＤ６が照射方向を上方に向けて実装されている。そして、蓋体５２には、蓋体５２をケース本体５１に取付けた状態で、ＬＥＤ６の真上の位置に蓋体５２を貫通する確認穴５２ａが形成されている。なお、蓋体５２には電池蓋５３が取外し可能に設けられている。
【００３０】
この確認穴５２ａの開口径は、ＬＥＤ６の外径よりも同径あるいは若干大径に形成され、ＬＥＤ６からの発光光ができるだけこの確認穴５２ａからケース外に出射できるようにしている。
【００３１】
なお、ケース５を構成するケース本体５１と蓋体５２とは、ケース５の内部に配置されるスイッチング装置やＬＥＤ６等を外部からの衝撃から保護するために、強度や耐久性に優れた金属で形成している。ただし、強度や耐久性に優れたその他の材料によりケース本体５１及び蓋体５２を形成してもよい。
【００３２】
前記スイッチング装置は、上述のトグル機構が作動するとＯＮ状態となり、トグル機構の作動状態を示す検知信号を出力する。このスイッチング装置としては、例えば、リードスイッチ、リミットスイッチ、ホール素子と磁石を利用したスイッチ、歪ゲージなどが利用でき、トグル機構の作動状態と復帰状態とを検知することができるようなスイッチ又はセンサであればどのようなものでもよい。
【００３３】
上述したように、ケース５内には、灯光表示を行う光源としてのＬＥＤ（発光ダイオード）６が配置されている。ＬＥＤ６はスイッチング装置から上記検知信号が出力されると点灯するようになっている。このようにしてＬＥＤ６を点灯させることにより、上記スイッチング装置がトグル機構の作動状態を検知したことを、作業者に対して知らせることができる。また、ＬＥＤ６から発せられた灯光は、ケース５のＬＥＤ６が配置される位置に合わせて形成される確認穴５２ａを通ってケース５外に向けて射出される。
【００３４】
なお、ケース５内にはスイッチング装置の制御やケース５外に配置されたアンテナケース７内のアンテナを用いた無線通信処理等の制御を行う不図示の電子回路などが配置されている。
【００３５】
そして、本実施例のトルクレンチ１のケース５には、ケース５およびアンテナケース７の全体を覆う保護カバー８が装着されている。この保護カバー８は、ケース５およびアンテナケース７を一体的に上方から覆い被せるように袋状に形成されている。この保護カバー８は、締め付け作業時に金属製のケース５を周囲にぶつけても、そのぶつかった物に傷を与えないようにするためのカバーである。したがって、その材料としてはシリコンゴムなどのやわらかい弾性材料などを用いることが好ましい。また、後述のように、保護カバー８をケース５に装着してもＬＥＤ６の光を確認できるようにするため、光を透過するような透明又は半透明な弾性材料であることが必要である。本実施例においては、この保護カバー８として光を透過するシリコンゴム製のものを用いる。
【００３６】
さらにこの保護カバー８は、図２および図３に示すように、上記確認穴５２ａに対応する位置に、確認穴５２ａを通って射出されるＬＥＤ６の光の射出方向前方に、半球状に突出した導光部８ａを有している。ＬＥＤ６からの灯光は、保護カバー８を透過して導光部８ａの半球面において反射することにより、導光部８ａの周囲に拡散、散乱する。これによって、ＬＥＤ６が点灯した場合には、導光部８ａ全体が発光するように見える。そのため、作業者が確認穴５２ａからＬＥＤ６の灯光が直接見える位置でトルクレンチ１を操作していなくても、突出した導光部８ａが見える位置からであれば、ＬＥＤ６の点灯を導光部８ａから出る光によって確認することができる。
【００３７】
これにより、図６、図７に示したような従来のトルクレンチ１の場合に、ＬＥＤ１０６の照射方向（矢印Ｌ）前方からでなければ光を確認できないという問題を解消することができる。
【００３８】
したがって、本実施例１のトルクレンチ１によれば、作業者の視点の位置が、ＬＥＤ６に対向する照射方向前方の位置から、少なくともトルクレンチ１の側面が見える高さまでの位置であれば、導光部８ａからの光を確認することが可能である。そして、このような視点の高さの範囲内であれば、導光部８ａを中心として、その周囲のどの方向からでも光源の点灯を確認することができる。
【００３９】
なお、確認穴５２ａに対応する位置において、保護カバー８および導光部８ａの内側を凹状に形成してもよい。その場合にも、確認穴５２ａを通った光が保護カバー８および導光部８ａの中空部分を進み、導光部８ａの内面において反射して周囲に散乱する。よって、中空でない場合と同様に視認性を高めることが可能である。
【００４０】
次に、本実施例のトルクレンチ１の動作を説明する。
【００４１】
まず、トルクレンチ１のヘッド２に装着されたソケット２ａをボルトに対してはめ合わせて、レバー３のグリップ４を握ってレバー３を引くことにより、レバー３とヘッド２とが一体に回動し、ボルトを締め付ける。そして、締め付けるトルクが所定のトルクに達すると、不図示のトグル機構が作動して、レバー３がヘッド２に対して軽い衝撃を伴って回動する。そうすると、ケース５内のスイッチング装置がトグル機構の作動状態を検知してＯＮ状態となり、トグル機構の作動を示す検知信号を出力する。
【００４２】
そして、スイッチング装置からの検知信号によりＬＥＤ６が点灯する。ＬＥＤ６の点灯により発せられた灯光は、ケース５の確認穴５２ａを通って、保護カバー８を透過する。保護カバー８を透過して導光部８ａに達した光は、導光部８ａにおいて周囲に散乱し、突出した導光部８ａ全体が発光しているように見える。したがって、作業者は導光部８ａが見える位置でトルクレンチ１を使用していれば、トグル機構の作動時にＬＥＤ６の発光を導光部８ａを介して確認することができる。そのため、従来のトルクレンチに比べて、非常に広い範囲からＬＥＤ６の点灯を確認することができる。
【００４３】
なお、スイッチング装置からの検知信号は、ケース５外部に配置されたアンテナケース７内のアンテナを介して不図示の受信機に送信され、受信機又は受信機に接続したコンピュータなどに記録される。記録された検知信号の数と締め付けなければならないボルトの数とを比較することで、ボルトの締め忘れがないか確認することができる。
【００４４】
トグル機構が作動し、スイッチング装置から検知信号が出力されることにより、作業者が締め付けを解除すると、トグル機構が元の状態に復帰し、スイッチング装置はＯＦＦ状態となる。
【００４５】
以上のような動作の流れにより、作業者がボルトを締め付けてＬＥＤ６が点灯した場合には、スイッチング装置がトグル機構の作動を検知すると共に、一回のボルトの締め付けの完了を示す検知信号が受信機に送信されたことを、視覚により確認することができる。そして、本実施例のトルクレンチによれば、ＬＥＤ６からの光により突出した導光部８ａ全体が光るため、作業者は従来に比べて広い範囲からＬＥＤ６の点灯を確認することができる。
【００４６】
以上のような本実施例のトルクレンチ１は、導光部８ａを備えた保護カバー８をケース５に対して装着するという構成であるため、従来のトルクレンチをそのまま使用して、ＬＥＤの光の照射範囲を広げることが可能である。つまり、トルクレンチ１やケース５の構造を変更したり、ＬＥＤ６の数を増やしたりすることなく、簡単に灯光表示を行う光源の光を確認できる範囲を広げることが可能となる。特に、光源として照射光の直進性が高いＬＥＤを用いた場合には、点灯の視認性を高めるために有効である。
【００４７】
なお、本実施例１の導光部８ａは、ＬＥＤ６からの光の射出方向、つまり、ケース５（カバー８）の外側に向けて突出して形成されているが、さらに、ケース５（カバー８）の内側に対して突出する突起部を形成してもよい。
【００４８】
このように内側にも突起部を形成すれば、該突起部を確認穴５２ａに挿入することで導光部８ａを確認穴５２ａの位置に確実に位置決めできる。また、突起部があることによりＬＥＤ６と導光部８ａとの距離が近くなるため、導光効率も向上することができる。ただし、確認穴５２ａがごみの混入を防止する等の理由により、透明なアクリル樹脂などで塞がれている場合には、内側に前記突起を設けることはできない。
【００４９】
以上の本実施例１のトルクレンチ１においては、保護カバー８の材料としてシリコンゴムを用いるとしたが、これに限られるものではなく、その他の光を透過する性質の弾性材料を用いることができる。また、光を透過する樹脂などを用いてもよい。
【００５０】
また、本実施例の保護カバー８は、導光部８ａとその他の部分を一体で形成したものとして説明したが、ＬＥＤ６の光が透過する導光部８ａの部分を光の透過性の高い材料で形成し、その他の部分は透過性のない材料で形成してもよい。
【００５１】
また、本実施例の導光部８ａは、半球状の形状に形成されたものとして説明したが、これに限られるものではなく、導光部がその周囲の保護カバー部分に対して突出しており、光源の灯光が周囲に拡散あるいは散乱するものであればどのような形状でもよい。例えば、円筒状や、多角柱の形状でもよい。また、導光部８ａのみ別体で形成し保護カバー８と組み合わせるようにしてもよい。
【００５２】
本実施例においては、灯光表示を行う光源としてＬＥＤを使用したものとして説明したが、これに限られるものではなく、ケース５内に収納できる程度の大きさの光源であれば、どのようなものでもよい。
【００５３】
また、本実施例１において説明した保護カバー８の形状は、トルクレンチ１やそのケース５の形状に応じて、適宜変更することができる。
【００５４】
また、ＬＥＤ６および確認穴５２ａの位置やその数は、図１などに示したものに限られることはなく、どのように配置されていてもよい。そして、ＬＥＤ６およびその確認穴５２ａの位置に応じて、導光部８ａを形成することができる。
【００５５】
また、本実施例１においては、光源としてのＬＥＤ６はスイッチング装置の検知信号に応じて点灯するものであるとして説明したが、これ以外の用途に用いられる光源についても同様に本発明を適用することができる。
【００５６】
本発明が適用可能なＬＥＤ（光源）の他の用途としては、例えば、本実施例のトルクレンチ１と同様に、無線通信を行うことが可能なトルクレンチにおいて、トルクレンチと受信機との間で無線通信が成立したことを灯光表示する光源として用いられるものであってもよい。具体的には、トルクレンチによりボルトを締付けていき、スイッチング装置により締め付けの完了が検知された場合に、その検知信号を無線通信で受信機に送信する。受信機がその検知信号を受信した場合には、当該検知信号を受信したことを示す通信成立信号をトルクレンチに送信する。そして、この通信成立信号をトルクレンチが受信した場合に、トルクレンチと受信機との間で無線通信が成立したことを灯光表示するために、ＬＥＤなどの光源が用いられる。
【００５７】
さらに別の用途としては、締め付けトルクをデジタル値で算出可能なトルクレンチにおいて、測定トルク値が許容範囲内であるか否かの合否判定を行い、その判定結果を報知する光源としてＬＥＤが用いられるものであってもよい。すなわち、歪ゲージ等のトルクを測定可能なセンサを備え、締め付けるトルクをデジタル値で算出可能なデジタル式のトルクレンチにより締め付けを行って、締め付けたトルク値が所定のトルク値の範囲内であったか否かの合否判定を行う。そして、この合否判定結果を作業者へ灯光表示するために、ＬＥＤ等の光源が用いられる。さらに、合否のそれぞれを灯光表示するために異なる色のＬＥＤを２つ配置して、合否に応じていずれかを点灯させるようにしてもよい。
【００５８】
以上に挙げたような用途にＬＥＤが用いられる場合にも、本実施例と同様にして、それらのＬＥＤに対応する位置に導光部８ａを形成したカバーを装着すれば、各ＬＥＤの視認性を向上することが可能となる。また、上述のようにＬＥＤが複数ある場合にも、それぞれのＬＥＤおよび確認穴に対応する位置に導光部８ａを形成すれば、それぞれのＬＥＤについて視認性を向上することができる。
【００５９】
すなわち、トルクレンチ１において、光源を用いて作業者に何らかの報知を行う場合には、その光源に対応する位置に上述の導光部８ａを形成した保護カバー８を装着することにより、光源からの灯光の視認性を向上することができる。
【００６０】
（実施例２）
実施例２のトルクレンチ１を図５に示す。
【００６１】
実施例２のトルクレンチ１は、導光部がケース５全体を覆う保護カバーではなく、輪状、幅広のバンドに形成されているものである。その他のトルクレンチ１の構成は実施例１と同様であるので、重複する部分の説明は省略する。
【００６２】
図５に示すように、本実施例のトルクレンチ１およびそのケース５には、導光部１８ａを備える輪状の導光バンド１８が装着されている。導光バンド１８は、導光部１８ａが形成できる程度に幅広に形成され、トルクレンチ１のレバー３とその外面に設置されたケース５の外周に弾性的に締付けて装着される。
【００６３】
導光バンド１８には、導光部１８ａが形成されている。導光部１８ａの形状およびその機能は実施例１の導光部８ａと同様である。したがって、この導光部１８ａの位置が、ＬＥＤ６およびＬＥＤ６からの光が外部に射出される確認穴５２ａに対応する位置にくるように、導光バンド１８を装着することにより、実施例１の場合と同様に、ＬＥＤ６からの光が導光部１８ａにおいて周囲に散乱する。これにより、ＬＥＤ６が点灯すると作業者からは導光部１８ａの全体が発光するように見えることになり、光源の灯光の視認性が向上する。
【００６４】
この導光バンド１８は、実施例１の保護カバー８と同様に光を透過するシリコンゴムにより形成している。また、導光バンド１８が回転したりトルクレンチ１の軸方向にずれてしまって、導光部１８ａが確認穴５２ａの位置からずれてしまうことを防ぐために、導光バンド１８は装着状態においてケース５およびトルクレンチ１を弾性的に締め付けるように装着される。これによって、弾性材料により形成された導光バンド１８とトルクレンチ１との摩擦力により導光部１８ａがずれてしまうことを防ぐことができる。
【００６５】
このように導光部１８ａをバンド状のものに形成すれば、導光部１８ａを自由に移動することができるため、例えば光源のＬＥＤ６が配置される位置が異なるトルクレンチ同士でも、導光バンド１８を共用することができる。実施例１の保護ケース８の場合には、それぞれのトルクレンチにあわせて保護カバー８や導光部８ａを形成する必要があり、ＬＥＤ６の位置が異なるトルクレンチ同士では保護カバーを共用することはできないが、実施例２の導光バンド１８であれば上記のように導光部１８ａの位置を移動して使用すれば共用可能である。
【００６６】
また、この導光バンド１８の内周を調節できるように構成してもよい。内周を調節可能とすれば、さまざまな大きさのトルクレンチに使用することができる。
【００６７】
また、実施例１の場合と同様に、導光部１８ａにケースの内側に向けて突出した突起部を形成してもよい。これによって、導光部１８ａの確認穴５２ａに対する位置決めが容易になると共に、ＬＥＤ６の灯光の導光効率も向上する。特に、本実施例２のような導光バンド１８の場合には、導光バンド１８がトルクレンチ１の軸周りで回転してしまったり軸方向にずれてしまったりしやすい。したがって、導光部１８ａの内側にも突起を形成して、突起を確認穴５２ａに挿入することによって、上記のようなずれを防ぐことができる。
【００６８】
以上の実施例においては、導光部を形成する導光部材を、ケースに覆い被せる保護カバーを兼用したものまたは弾性的に締め付けて装着する導光バンドとして説明したが、これに限られるものではなく、導光部が確認穴５２ａに対応する位置に配置されるような導光部材であればどのようなものでもよい。例えば、導光部を形成したシートを確認穴５２ａの位置に導光部が配置されるように接着して取り付けてもよい。
【図面の簡単な説明】
【００６９】
【図１】実施例１のトルクレンチ１の平面図。
【図２】図１に示すトルクレンチ１の側面図。
【図３】図１に示すトルクレンチ１のケース５部分の断面図。
【図４】（ａ）実施例１の保護カバー８の平面図、および（ｂ），（ｃ）側面図。
【図５】実施例２のトルクレンチ１の側面図。
【図６】（ａ）従来のトルクレンチ１０１の平面図、および（ｂ）側面図。
【図７】従来のトルクレンチのケース部分の断面図。
【符号の説明】
【００７０】
１      トルクレンチ
２      ヘッド
３      レバー
４      グリップ
５      ケース
５１    ケース本体
５２    蓋体
５２ａ  確認穴
６      ＬＥＤ
７      アンテナケース
８      保護カバー
８ａ    導光部
１８    導光バンド
１８ａ  導光部
【図１】
0005372399.tif 000002
【図２】
0005372399.tif 000003
【図３】
0005372399.tif 000004
【図４】
0005372399.tif 000005
【図５】
0005372399.tif 000006
【図６】
0005372399.tif 000007
【図７】
0005372399.tif 000008